【事件の表示】
　平成１１年特許願第　５５８７３号「クロックとデータ間のスキューを補正する方式」拒絶査定不服審判事件〔平成１２年　９月１４日出願公開、特開２０００−２５０６５１〕について、次のとおり審決する。
【結　論】
　本件審判の請求は、成り立たない。
【理　由】
１．手続の経緯・本願発明
　本願は、平成１１年３月３日の出願であって、平成１４年１１月２９日付で拒絶査定がなされ（発送日同年１２月３日）、これに対し、平成１５年１月６日に拒絶査定に対する審判請求がなされたものである。
　本願の請求項１に係る発明は，平成１４年１１月１１日付け手続補正書により補正された特許請求の範囲の請求項１に記載された次のとおりのものと認める。（以下「本願発明」という。） 
　「外部より入力したデータを入力したクロックに同期して取り込み同期データとして出力する受信フリップフロップと、
　前記同期データの誤りを検出して前記同期データに誤りがあるか否かを示す誤り検出信号を出力する誤り検出回路と、
　前記誤り検出信号をもとに誤りが連続して所定回数生じたときに選択信号を切り替える判定回路と、
　外部より入力したクロックを前記選択信号に応じた遅延時間だけ遅延させて前記受信フリップフロップが入力する前記クロックとして出力するスキュー調整回路と、
　を備えることを特徴とするクロックとデータ間のスキューを補正する方式。」
　
２．引用刊行物記載の発明
　これに対して、原査定の拒絶の理由に引用された，本願の出願の日前である平成５年９月１０日に頒布された「特開平５−２３５９２１号公報 」（以下「引用例」という。）には、図面とともに、以下の事項が記載されている。
（ア）（公報第２頁第２欄３１行目から第３頁第３欄２６行目）
「【０００４】
【従来の技術】図５は従来のＬＳＩのデータ取り込み部分の回路構成を示す図である。この図において、１はデータＤＴが供給される入力端子であり、２はクロック信号ＣＬＫが供給される入力端子である。３，４はバッファ、５はデータフリップフロップ（ＤＦＦ）である。
【０００５】入力端子１に供給されたデータＤＴは、バッファ３を介してＤＦＦ５のデータ入力端Ｄに供給され、バッファ４を介してＤＦＦ５のクロック端ＣＫにクロック信号ＣＬＫが供給されることによって、ＤＦＦ５に保持されて出力されるようになっている。
【０００６】ＤＦＦ５から出力されるデータは、内部データＩＤとして図示せぬＬＳＩへ供給される。
【０００７】
【発明が解決しようとする課題】ところで、振動、温湿度等の条件が悪い場所で上述したＬＳＩを使用した場合、入力端子１からＤＦＦ５のデータ入力端Ｄまでのディレイ（データ系ディレイ）ｔｄと、入力端子２からディレイ５のクロック端までのディレイ（クロック系ディレイ）ｔｃｋとの関係によって、正常なデータＤＴがＤＦＦ５に保持されず、正常な内部データＩＤが得られないと言った問題があった。
【０００８】この問題が生じる一例を図６を参照して説明する。図６の（ａ）及び（ｂ）に示すようなタイミング関係で、データＤＴとクロック信号ＣＬＫとが各入力端子１，２に供給されたとする。
【０００９】この場合に、データ系ディレイｔｄとクロック系ディレイｔｃｋとがほぼ同一時間であれば、データＤＴの確定領域がクロック信号ＣＬＫによりトリガされてＤＦＦ５に保持され、正常な内部データＩＤが出力されることになる。
【００１０】しかし、振動、温湿度等の影響によって、各ディレイｔｄ，ｔｃｋにバラツキが生じた場合、例えば、図６（ａ）に示すデータＤＴが（ｃ）に示すようにディレイｔｄだけ遅れ、（ｂ）に示すクロック信号ＣＬＫが（ｄ）に示すようにディレイｔｃｋだけ遅れるようなバラツキが生じた場合を想定する。
【００１１】この場合、ＤＦＦ５のデータ入力端Ｄに供給されるデータＤＴ′の不定領域（セットアップ及びホールド部分）を、クロック信号ＣＬＫ′がトリガすることになるので、正常なデータがＤＦＦ５に保持されず、正常な内部データＩＤが出力されないことになる。
【００１２】本発明は、このような点に鑑みてなされたものであり、入力されるデータを振動、温湿度等の悪条件下においても正常に取り込むことができる入力位相余裕保証回路を提供することを目的としている。」
　
（イ）（公報第３頁第３欄２７行目から第４欄３７行目）
「【００１３】
【課題を解決するための手段】図１に本発明の入力位相余裕保証回路の原理図を示す。図中、１１はデータ保持手段であり、入力データＤＴをデータ取り込みクロック信号ＣＬＫにより取り込んで保持し、この保持中のデータを出力するものである。
【００１４】１２はデータ取り込み状態検出手段であり、データ保持手段１１に正常にデータが保持されたかどうかを検出するものである。１３はクロックタイミング可変手段であり、データ取り込み状態検出手段１２での検出結果に応じて入力クロック信号ＣＬＫ１の位相を変化させるか、又は保持するかの動作を行い、この動作によって得られる入力クロック信号ＣＬＫ１を前記したデータ取り込みクロック信号ＣＬＫとしてデータ保持手段１１へ出力するものである。
【００１５】
【作用】上述した本発明の入力位相余裕保証回路の動作を図２のタイミングチャートを参照して説明する。
【００１６】まず、図２（ａ）に示す入力データＤＴが図１に示すデータ保持手段１１にデータ取り込みクロック信号ＣＬＫにより保持される。この保持されたデータは、図示せぬＬＳＩ内部回路で使用される内部データＩＤとして出力されると共に、データ取り込み状態検出手段１２へ出力される。
【００１７】データ取り込み状態検出手段１２では、入力されたデータＩＤからデータ保持手段１１に入力データＤＴが正常に取り込まれたかどうかを判断し、この判断結果であるデータＤｃをクロックタイミング可変手段１３へ出力する。
【００１８】図２（ａ）に示すデータＤＴの不定領域を、データ取り込みクロック信号ＣＬＫがトリガすることにより入力データＤＴがデータ保持手段１１に保持された場合、保持されたデータは正常ではないので、この場合、データ取り込み状態検出手段１２は保持データが異常であることを検出し、例えば「１」のデータＤｃを出力する。
【００１９】この保持データが異常であることを示すデータＤｃが入力されたクロックタイミング可変手段１３は、入力クロック信号ＣＬＫ１の位相を変化させ、これをデータ取り込みクロック信号ＣＬＫとしてデータ保持手段１１へ出力する。
【００２０】以上の動作が正常な入力データＤＴがデータ保持手段１１に保持されるまで繰り返される。この動作を繰り返して、データ取り込みクロック信号ＣＬＫが、図２（ｂ）に示すように、入力データＤＴの確定領域をトリガする位置に来ると、データ保持手段１１に正常なデータＤＴが保持され、この場合、図２（ｃ）に示す内部データＩＤが出力される。
【００２１】正常なデータＩＤがデータ取り込み状態検出手段１２に入力されると、データ取り込み状態検出手段１２は、現時点でクロックタイミング可変手段１３から出力されているデータ取り込みクロック信号ＣＬＫの位相を保持するたためのデータＤｃ（例えば「０」）を出力する。
【００２２】これによって、入力データＤＴを正常にデータ保持手段１１に取り込むためのデータ取り込みクロック信号ＣＬＫが出力される。以上説明したように、本発明の入力位相余裕保証回路によれば、振動、温湿度等によりＬＳＩ使用環境条件が悪化し、入力位相余裕が不安定となってもそれを自己修正して正常に取り込むことができる。」
　
（ウ）（公報第３頁第４欄４２行目から第４頁第６欄８行目）
「【００２４】図３に示す入力位相余裕保証回路は、図示せぬＬＳＩのデータ取り込み部分に用いられるものであり、各々一点鎖線枠で示すデータ保持手段１１と、データ取り込み状態検出手段１２と、クロックタイミング可変手段１３とから構成されている。
【００２５】データ保持手段１１は、ＤＦＦ２１によるものであり、入力端子１に供給される入力データＤＴを、クロックタイミング可変手段１３から出力されるデータ取り込みクロック信号ＣＬＫの立ち上がりエッジによって保持して出力するものである。
【００２６】データ取り込み状態検出手段１２は、データ保持手段１１にデータが正常に取り込まれたかどうかを検出するものであり、ＤＦＦ２２と、ＤＦＦ２３と、イクスクルーシブオア２４とから構成されている。
【００２７】ＤＦＦ２２は、ＤＦＦ２１から出力されるデータＩＤをクロック信号ＣＬＫの立ち下がりエッジで取り込んで保持する。ＤＦＦ２３は、入力端子１に供給されたデータＤＴをクロック信号ＣＬＫの立ち下がりエッジで取り込んで保持する。
【００２８】イクスクルーシブオア２４は、ＤＦＦ２２から出力されるデータＤａと、ＤＦＦ２３から出力されるデータＤｂとの排他的論理和を取って出力するものであり、データＤａとデータＤｂとが「０」，「０」、又は「１」，「１」の同値の場合に「０」を出力し、他の場合に「１」を出力する。
【００２９】イクスクルーシブオア２４から「０」が出力された場合は、ＤＦＦ２１に正常にデータＤＴが取り込まれたことを示し、「１」が出力された場合は正常にデータＤＴが取り込まれなかったことを示す。
【００３０】クロックタイミング可変手段１３は、データ取り込み状態検出手段１２での判断結果に応じてデータ取り込みクロック信号ＣＬＫのタイミングを変化させるものであり、８入力１出力タイプのマルチプレクサ２５と、３ビットのカウンタ２６とから構成されている。
【００３１】マルチプレクサ２５は、各入力端Ｄ１〜Ｄ８に供給される各クロック信号ＣＬＫ１〜ＣＬＫ８の何れか１つを、カウンタ２６から出力される３ビットの選択信号Ｓに応じて選択し、これをクロック信号ＣＬＫとして出力するものである。
【００３２】各クロック信号ＣＬＫ１〜ＣＬＫ８は、外部から入力される基準となるクロック信号ＣＬＫ１と、このクロック信号ＣＬＫ１の位相を各バッファ３１〜３７で１／８周期ずつ遅延させたものである。
【００３３】カウンタ２６は、イクスクルーシブオア２４から出力されるデータＤｃの「１」がイネーブル端ＥＮに供給されている際に、バッファ２７を介してクロック信号ＣＬＫの立ち下がりエッジがクロック端ＣＫに供給される毎に「０００」〜「１１１」を順次アップカウントし、そのカウント値「０００」〜「１１１」を出力端ＱＡ，ＱＢ，ＱＣから選択信号Ｓとして出力するものである。イネーブル端ＥＮに「０」が供給されている場合にはカウント値を保持する。また、カウンタ２６のデータ入力端Ｄには、３ビットのデータ「０００」が供給されているものとする。
【００３４】カウンタ２６のカウント値が「０００」であり、このカウント値「０００」による選択信号Ｓが出力されてマルチプレクサ２５に供給されると、マルチプレクサ２５の入力端Ｄ４に供給されたクロック信号ＣＬＫ４が選択されて出力されるようになっている。
【００３５】カウント値「００１」の選択信号Ｓがマルチプレクサ２５に供給されると、入力端Ｄ５に供給されたクロック信号ＣＬＫ５が選択されて出力され、カウント値「０１０」の選択信号Ｓが供給されると、入力端Ｄ３に供給されたクロック信号ＣＬＫ３が出力され、……、カウント値「１１１」の選択信号Ｓが供給されると、入力端Ｄ８に供給されたクロック信号ＣＬＫ８が出力されるようになっている。」
　
　以上の引用例の記載によれば、引用例には以下の事項を含む発明（以下「引用例発明」という。）が開示されていると認められる。
　
（ａ）引用例の上記（ア）の「１はデータＤＴが供給される入力端子であり、２はクロック信号ＣＬＫが供給される入力端子である。」、上記（イ）の「【００１６】まず、図２（ａ）に示す入力データＤＴが図１に示すデータ保持手段１１にデータ取り込みクロック信号ＣＬＫにより保持される。この保持されたデータは、図示せぬＬＳＩ内部回路で使用される内部データＩＤとして出力されると共に、データ取り込み状態検出手段１２へ出力される。」という記載、及び、上記（ウ）の「【００２５】データ保持手段１１は、ＤＦＦ２１によるものであり、入力端子１に供給される入力データＤＴを、クロックタイミング可変手段１３から出力されるデータ取り込みクロック信号ＣＬＫの立ち上がりエッジによって保持して出力するものである。」という記載及び図２並びに図３から、引用例発明は、入力端子１から入力した入力データＤＴをデータ取り込みクロック信号ＣＬＫに同期して取り込み、内部データＩＤ、すなわち、同期データとして出力するＤＦＦ１１を備えているものと認められる。
　
（ｂ）引用例の上記（イ）の「【００１７】データ取り込み状態検出手段１２では、入力されたデータＩＤからデータ保持手段１１に入力データＤＴが正常に取り込まれたかどうかを判断し、この判断結果であるデータＤｃをクロックタイミング可変手段１３へ出力する。」及び上記（ウ）の「【００２６】データ取り込み状態検出手段１２は、データ保持手段１１にデータが正常に取り込まれたかどうかを検出するものであり、ＤＦＦ２２と、ＤＦＦ２３と、イクスクルーシブオア２４とから構成されている。
【００２７】ＤＦＦ２２は、ＤＦＦ２１から出力されるデータＩＤをクロック信号ＣＬＫの立ち下がりエッジで取り込んで保持する。ＤＦＦ２３は、入力端子１に供給されたデータＤＴをクロック信号ＣＬＫの立ち下がりエッジで取り込んで保持する。
【００２８】イクスクルーシブオア２４は、ＤＦＦ２２から出力されるデータＤａと、ＤＦＦ２３から出力されるデータＤｂとの排他的論理和を取って出力するものであり、データＤａとデータＤｂとが「０」，「０」、又は「１」，「１」の同値の場合に「０」を出力し、他の場合に「１」を出力する。
【００２９】イクスクルーシブオア２４から「０」が出力された場合は、ＤＦＦ２１に正常にデータＤＴが取り込まれたことを示し、「１」が出力された場合は正常にデータＤＴが取り込まれなかったことを示す。」という記載から、引用例発明は、入力端子１から入力した入力データＤＴとＤＦＦ２１から出力される内部データＩＤの排他的論理和を用いて内部データＩＤが正常かどうかを検出して、内部データＩＤが正常な場合に、イクスクルーシブオア２４から「０」を出力し、内部データＩＤが正常でなかった場合に、イクスクルーシブオア２４から「１」を出力するデータ取り込み状態検出手段１２を備えているものと認められる。
　
（ｃ）引用例の上記（ウ）の「【００３３】カウンタ２６は、イクスクルーシブオア２４から出力されるデータＤｃの「１」がイネーブル端ＥＮに供給されている際に、バッファ２７を介してクロック信号ＣＬＫの立ち下がりエッジがクロック端ＣＫに供給される毎に「０００」〜「１１１」を順次アップカウントし、そのカウント値「０００」〜「１１１」を出力端ＱＡ，ＱＢ，ＱＣから選択信号Ｓとして出力するものである。イネーブル端ＥＮに「０」が供給されている場合にはカウント値を保持する。」という記載から、引用例発明は、内部データＩＤが正常でなかった場合にイクスクルーシブオア２４から出力される「１」出力をもとにカウント値をアップカウントして選択信号Ｓとして出力するカウンタ２６を備えているものと認められる。
　
（ｄ）引用例の上記（ウ）の「【００２５】データ保持手段１１は、ＤＦＦ２１によるものであり、入力端子１に供給される入力データＤＴを、クロックタイミング可変手段１３から出力されるデータ取り込みクロック信号ＣＬＫの立ち上がりエッジによって保持して出力するものである。」、「【００３０】クロックタイミング可変手段１３は、データ取り込み状態検出手段１２での判断結果に応じてデータ取り込みクロック信号ＣＬＫのタイミングを変化させるものであり、８入力１出力タイプのマルチプレクサ２５と、３ビットのカウンタ２６とから構成されている。
【００３１】マルチプレクサ２５は、各入力端Ｄ１〜Ｄ８に供給される各クロック信号ＣＬＫ１〜ＣＬＫ８の何れか１つを、カウンタ２６から出力される３ビットの選択信号Ｓに応じて選択し、これをクロック信号ＣＬＫとして出力するものである。
【００３２】各クロック信号ＣＬＫ１〜ＣＬＫ８は、外部から入力される基準となるクロック信号ＣＬＫ１と、このクロック信号ＣＬＫ１の位相を各バッファ３１〜３７で１／８周期ずつ遅延させたものである。」及び「【００３４】カウンタ２６のカウント値が「０００」であり、このカウント値「０００」による選択信号Ｓが出力されてマルチプレクサ２５に供給されると、マルチプレクサ２５の入力端Ｄ４に供給されたクロック信号ＣＬＫ４が選択されて出力されるようになっている。
【００３５】カウント値「００１」の選択信号Ｓがマルチプレクサ２５に供給されると、入力端Ｄ５に供給されたクロック信号ＣＬＫ５が選択されて出力され、カウント値「０１０」の選択信号Ｓが供給されると、入力端Ｄ３に供給されたクロック信号ＣＬＫ３が出力され、……、カウント値「１１１」の選択信号Ｓが供給されると、入力端Ｄ８に供給されたクロック信号ＣＬＫ８が出力されるようになっている。」という記載から、引用例発明は、外部から入力される基準となるクロック信号ＣＬＫ１を選択信号Ｓに応じた時間だけ遅延させてＤＦＦ２１が入力するデータ取り込みクロック信号ＣＬＫとして出力するマルチプレクサ２５を備えているものと認められる。
　
（ｅ）引用例の上記（ア）の「【０００７】
【発明が解決しようとする課題】ところで、振動、温湿度等の条件が悪い場所で上述したＬＳＩを使用した場合、入力端子１からＤＦＦ５のデータ入力端Ｄまでのディレイ（データ系ディレイ）ｔｄと、入力端子２からディレイ５のクロック端までのディレイ（クロック系ディレイ）ｔｃｋとの関係によって、正常なデータＤＴがＤＦＦ５に保持されず、正常な内部データＩＤが得られないと言った問題があった。
【０００８】この問題が生じる一例を図６を参照して説明する。図６の（ａ）及び（ｂ）に示すようなタイミング関係で、データＤＴとクロック信号ＣＬＫとが各入力端子１，２に供給されたとする。
【０００９】この場合に、データ系ディレイｔｄとクロック系ディレイｔｃｋとがほぼ同一時間であれば、データＤＴの確定領域がクロック信号ＣＬＫによりトリガされてＤＦＦ５に保持され、正常な内部データＩＤが出力されることになる。
【００１０】しかし、振動、温湿度等の影響によって、各ディレイｔｄ，ｔｃｋにバラツキが生じた場合、例えば、図６（ａ）に示すデータＤＴが（ｃ）に示すようにディレイｔｄだけ遅れ、（ｂ）に示すクロック信号ＣＬＫが（ｄ）に示すようにディレイｔｃｋだけ遅れるようなバラツキが生じた場合を想定する。
【００１１】この場合、ＤＦＦ５のデータ入力端Ｄに供給されるデータＤＴ′の不定領域（セットアップ及びホールド部分）を、クロック信号ＣＬＫ′がトリガすることになるので、正常なデータがＤＦＦ５に保持されず、正常な内部データＩＤが出力されないことになる。
【００１２】本発明は、このような点に鑑みてなされたものであり、入力されるデータを振動、温湿度等の悪条件下においても正常に取り込むことができる入力位相余裕保証回路を提供することを目的としている。」という記載、及び、上記（イ）の「本発明の入力位相余裕保証回路によれば、振動、温湿度等によりＬＳＩ使用環境条件が悪化し、入力位相余裕が不安定となってもそれを自己修正して正常に取り込むことができる。」から、引用例発明は、クロック系ディレイｔｃｋとデータ系ディレイｔｄのバラツキにより入力位相余裕が不安定となってもそれを自己修正する入力位相余裕保証回路であると認められる。
　
　したがって、引用例には、「入力端子１から入力した入力データＤＴをデータ取り込みクロック信号ＣＬＫに同期して取り込み、内部データＩＤ、すなわち、同期データとして出力するＤＦＦ１１と、
入力端子１から入力した入力データＤＴとＤＦＦ２１から出力される内部データＩＤの排他的論理和を用いて内部データＩＤが正常かどうかを検出して、内部データＩＤが正常な場合に、イクスクルーシブオア２４から「０」を出力し、内部データＩＤが正常でなかった場合に、イクスクルーシブオア２４から「１」を出力するデータ取り込み状態検出手段１２と、
内部データＩＤが正常でなかった場合にイクスクルーシブオア２４から出力される「１」出力をもとにカウント値をアップカウントして選択信号Ｓとして出力するカウンタ２６と、
外部から入力される基準となるクロック信号ＣＬＫ１を選択信号Ｓに応じた時間だけ遅延させてＤＦＦ２１が入力するデータ取り込みクロック信号ＣＬＫとして出力するマルチプレクサ２５と、
クロック系ディレイｔｃｋとデータ系ディレイｔｄのバラツキにより入力位相余裕が不安定となってもそれを自己修正する入力位相余裕保証回路」なる発明が記載されているものと認められる。
　
３．対比
（Ａ）引用例発明は「クロック系ディレイｔｃｋとデータ系ディレイｔｄのバラツキにより入力位相余裕が不安定となってもそれを自己修正する入力位相余裕保証回路」に関するものであるので、本願発明と同様に「クロックとデータ間のスキューを補正する方式」に関するものといえる。
　
（Ｂ）引用例発明のＤＦＦ１１は、入力端子１から入力した入力データＤＴをデータ取り込みクロック信号ＣＬＫに同期して取り込み、内部データＩＤすなわち、同期データとして出力するのであるから、本願発明の「外部より入力したデータを入力したクロックに同期して取り込み同期データとして出力する受信フリップフロップ」に相当する。
　
（Ｃ）引用例発明のデータ取り込み状態検出手段１２は、入力端子１から入力した入力データＤＴとＤＦＦ２１から出力される内部データＩＤの排他的論理和を用いて内部データＩＤが正常かどうかを検出して、内部データＩＤが正常な場合に、イクスクルーシブオア２４から「０」を出力し、内部データＩＤが正常でなかった場合に、イクスクルーシブオア２４から「１」を出力する、すなわち、同期データたる内部データＩＤの誤りを検出して該同期データの誤りがあるか否かを示す信号を出力しているから、本願発明の「前記同期データの誤りを検出して前記同期データに誤りがあるか否かを示す誤り検出信号を出力する誤り検出回路」に相当するということができる。
　
（Ｄ）引用例発明のカウンタ２６は、内部データＩＤが正常でなかった場合にイクスクルーシブオア２４から出力される「１」出力をもとにカウント値をアップカウントして選択信号Ｓとして出力しているから、引用例発明は、本願発明と同様に、誤り検出信号をもとに選択信号を切り替える判定回路を備えているといえる。しかし、本願発明の判定回路は、誤りが連続して所定回数生じたときに選択信号を切り替えているのに対し、引用例発明のカウンタ２６は、誤りが生じたときに選択信号を切り替えている点で相違している
。
　
（Ｅ）引用例発明のマルチプレクサ２５は、外部から入力される基準となるクロック信号ＣＬＫ１を選択信号Ｓに応じた時間だけ遅延させてＤＦＦ２１が入力するデータ取り込みクロック信号ＣＬＫとして出力するのであるから、引用例発明は、本願発明と同様に「外部より入力したクロックを前記選択信号に応じた遅延時間だけ遅延させて前記受信フリップフロップが入力する前記クロックとして出力するスキュー調整回路」を備えているといえる。
　
　したがって、両者は、「外部より入力したデータを入力したクロックに同期して取り込み同期データとして出力する受信フリップフロップと、
　前記同期データの誤りを検出して前記同期データに誤りがあるか否かを示す誤り検出信号を出力する誤り検出回路と、
　前記誤り検出信号をもとに選択信号を切り替える判定回路と、
　外部より入力したクロックを前記選択信号に応じた遅延時間だけ遅延させて前記受信フリップフロップが入力する前記クロックとして出力するスキュー調整回路と、
　を備えることを特徴とするクロックとデータ間のスキューを補正する方式。」で一致し、以下の点で相違する。
　
［相違点］本願発明の判定回路は、誤りが連続して所定回数生じたときに選択信号を切り替えているのに対し、引用例発明の判定回路は、誤りが生じたときに選択信号を切り替えている点で相違する。
　
４．当審の判断
　上記相違点について検討すると、一般に、一回だけ誤りが検出されただけではエラーに対処する所定の処理を行わずに、所定回数の誤りが連続して生じたときにエラーに対処する所定の処理を行う技術は、本願出願前に周知の技術に過ぎない（例えば、特開平７−６６７３１号公報、特開平５−１２００４７号公報あるいは特開昭６２−１３０４２９号公報等を参照されたい。）から、引用例発明において、当該周知技術を採用して、一回の誤りを検出したときに選択信号を切り替える構成に代えて、誤りが所定回数生じたときに選択信号を切り替える構成を採用する程度のことは、当業者とって容易に想到し得るものである。
　
  また、本願発明の効果についてみても、上記構成の採用に伴って、当然に予測される程度のものに過ぎず、格別顕著なものがあるとは認められない。
　
５．むすび
　したがって、本願発明は、引用例に記載された発明及び周知技術に基づいて当業者が容易に発明をすることができたものであるから、本願は、その余の請求項について論及するまでもなく、特許法第２９条第２項の規定により特許を受けることができない。
　よって、結論のとおり審決する。